【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
位置ロケーション方法であって、
位置ロケーションシステムの第１のアセットタグと第２のアセットタグとの間のレンジング動作を行うために、前記位置ロケーションシステムのアクセスポイントからの要求を狭帯域メッセージングリンクを介して受信することと、ここで、前記要求は、前記第１のアセットタグをマスターアセットタグとして識別し、前記第２のアセットタグをスレーブアセットタグとして識別する、
前記第１のアセットタグと前記第２のアセットタグとの間の前記レンジング動作を可能にするために、前記第１のアセットタグが、広帯域レンジングリンク上で第１のレンジングパイロット信号を送信することと、
前記第１のアセットタグが、前記第２のアセットタグから前記広帯域レンジングリンク上で第２のレンジングパイロット信号を受信することと
を備え、前記マスターアセットタグは、前記送信された第１のレンジングパイロット信号および前記受信された第２のレンジングパイロット信号に少なくとも部分的に基づいて、前記第１のアセットタグと前記第２のアセットタグとの間のラウンドトリップ遅延を推定する、位置ロケーション方法。
【請求項２】
位置ロケーションサーバが前記第１のアセットタグと前記第２のアセットタグとの間のラウンドトリップ遅延を推定することを可能にするために、レンジング情報を転送することをさらに備える、請求項１に記載の方法。
【請求項３】
前記要求を受信することは、前記第１のアセットタグおよび前記第２のアセットタグが互いの所定の距離内にあるときに生じる、請求項１に記載の方法。
【請求項４】
前記第２のレンジングパイロット信号の複数のコピーを受信することと、
前記コピーを組み合わせることと、
前記組み合わされたコピーに少なくとも部分的に基づいて、前記第１のアセットタグと前記第２のアセットタグとの間のレンジを推定することと
をさらに備える、請求項１に記載の方法。
【請求項５】
位置ロケーションための装置であって、
位置ロケーションシステムの第１のアセットタグと第２のアセットタグとの間のレンジング動作を行うために、前記位置ロケーションシステムのアクセスポイントからの要求を狭帯域メッセージングリンクを介して受信するための手段と、ここで、前記要求は、前記第１のアセットタグをマスターアセットタグとして識別し、前記第２のアセットタグをスレーブアセットタグとして識別する、
前記第１のアセットタグと前記第２のアセットタグとの間の前記レンジング動作を可能にするために、前記第１のアセットタグが、広帯域レンジングリンク上で第１のレンジングパイロット信号を送信するための手段と、
前記第１のアセットタグが、前記第２のアセットタグから前記広帯域レンジングメッセージングリンク上で第２のレンジングパイロット信号を受信するための手段と
を備え、前記マスターアセットタグは、前記送信された第１のレンジングパイロット信号および前記受信された第２のレンジングパイロット信号に少なくとも部分的に基づいて、前記第１のアセットタグと前記第２のアセットタグとの間のラウンドトリップ遅延を推定する、装置。
【請求項６】
位置ロケーションサーバが前記第１のアセットタグと前記第２のアセットタグとの間のラウンドトリップ遅延を推定することを可能にするために、レンジング情報を転送するための手段をさらに備える、請求項５に記載の装置。
【請求項７】
位置ロケーション方法であって、
第１のレンジング信号が第１のアセットタグと第２のアセットタグとの間の広帯域レンジングリンク上で送信され、第２のレンジング信号が前記第２のアセットタグと前記第１のアセットタグとの間の前記広帯域レンジングリンク上で送信されるように、前記第１のアセットタグをマスターアセットタグとして識別し、前記第２のアセットタグをスレーブアセットタグとして識別して、狭帯域メッセージングリンクを介して前記第１のアセットタグと前記第２のアセットタグとの間のレンジング動作を要求することと、
前記第１のレンジング信号および前記第２のレンジング信号に少なくとも部分的に基づいて、前記第１のアセットタグと前記第２のアセットタグとの間のレンジを決定すること、または決定するように前記マスターアセットタグに命令することと
を備える、方法。
【請求項８】
前記第１のアセットタグおよび前記第２のアセットタグの位置を監視することと、
前記第１のアセットタグおよび前記第２のアセットタグが互いの所定の距離内にあるときに、前記第１のアセットタグおよび前記第２のアセットタグに前記レンジング動作の要求を発行することと
をさらに備える、請求項７に記載の方法。
【請求項９】
前記第１のアセットタグをマスターアセットタグと指定し、前記第２のアセットタグをスレーブアセットタグと指定することと、
前記レンジング動作を行うように前記マスターアセットタグおよび前記スレーブアセットタグに前記狭帯域メッセージングリンクを介して要求することと、
前記マスターアセットタグと前記スレーブアセットタグとの間の前記レンジを計算するために前記レンジング動作にしたがって前記マスターアセットタグと前記スレーブアセットタグとの間のラウンドトリップ遅延を推定することと
をさらに備える、請求項７に記載の方法。
【請求項１０】
アクセスポイントは、前記第１のアセットタグと前記第２のアセットタグとの間の前記レンジを決定する、請求項７に記載の方法。
【請求項１１】
位置ロケーションのためのコンピュータプログラム製品であって、
非一時的なプログラムコードを記録した非一時的なコンピュータ可読媒体を備え、前記プログラムコードは、前記プログラムコードがプロセッサ上で実行されたとき、請求項１−４または７−１０のうちのいずれか一項のステップを実行するように適合される、コンピュータプログラム製品。
【請求項１２】
第１のレンジング信号が第１のアセットタグと第２のアセットタグとの間の広帯域レンジングリンク上で送信され、第２のレンジング信号が前記第２のアセットタグと前記第１のアセットタグとの間の前記広帯域レンジングリンク上で送信されるように、前記第１のアセットタグをマスターアセットタグとして識別し、前記第２のアセットタグをスレーブアセットタグとして識別して、狭帯域メッセージングリンクを介して前記第１のアセットタグと前記第２のアセットタグとの間のレンジング動作を要求するための手段と、
前記第１のレンジング信号および前記第２のレンジング信号に少なくとも部分的に基づいて、前記第１のアセットタグと前記第２のアセットタグとの間のレンジを決定すること、または決定するように前記マスターアセットタグに命令するための手段と
を備える、装置。
【請求項１３】
前記第１のアセットタグおよび前記第２のアセットタグの位置を監視するための手段と、
前記第１のアセットタグおよび前記第２のアセットタグが互いの所定の距離内にあるときに、前記第１のアセットタグおよび前記第２のアセットタグに前記レンジング動作の要求を発行するための手段と
をさらに備える、請求項１２に記載の装置。
【請求項１４】
前記第１のアセットタグをマスターアセットタグと指定し、前記第２のアセットタグをスレーブアセットタグと指定するための手段と、
前記レンジング動作を行うように前記マスターアセットタグおよび前記スレーブアセットタグに前記狭帯域メッセージングリンクを介して要求するための手段と、
前記マスターアセットタグと前記スレーブアセットタグとの間の前記レンジを計算するために前記レンジング動作にしたがって前記マスターアセットタグと前記スレーブアセットタグとの間のラウンドトリップ遅延を推定するための手段と
をさらに備える、請求項１２に記載の装置。
【請求項１５】
前記装置は、前記第１のアセットタグと前記第２のアセットタグとの間の前記レンジを決定するアクセスポイントである、請求項１２に記載の装置。